(57)【要約】【課題】異なる順方向電圧のＬＥＤアレイが接続された場合でもＬＥＤ電流の変動を抑制することができる高い汎用性のＬＥＤ点灯装置を提供する。【解決手段】ＬＥＤ点灯装置１００は、定電圧源１２０と、チョークコイル６、スイッチング素子７、回生ダイオード８及び電流検出抵抗１０を有するバック型コンバータである降圧チョッパ回路１３０と、所定端子Ｐ５の入力電圧Ｖｃに比例する閾値Ｖｔｈを生成し、オン期間に電流検出抵抗１０によって検出される電流検出値Ｖｐが閾値Ｖｔｈに達するとオン期間を終了させる駆動制御回路１４０と、オフ期間にチョークコイル６の補助巻線６Ｓに発生する電圧の整流平滑電圧に基づいて検出電圧Ｖｄを出力するＶｆ検出回路Ｄ、及びＶｆ検出回路の出力点が一端に接続されるとともに他端が所定端子Ｐ５に接続された接続素子Ｃを有し、検出電圧Ｖｄの増減に対して入力電圧Ｖｃを増減させる電流補正回路１５０を含む。【選択図】  図１
2018137129.tif 000002
【特許請求の範囲】
【請求項１】
ＬＥＤ点灯装置であって、
定電圧源と、
チョークコイル、スイッチング素子、回生ダイオード及び電流検出抵抗を有し、前記スイッチング素子のオン期間に前記定電圧源、ＬＥＤアレイ、前記チョークコイル、前記スイッチング素子及び前記電流検出抵抗が閉回路を形成し、前記スイッチング素子のオフ期間に前記チョークコイル、前記回生ダイオード及び前記ＬＥＤアレイが閉回路を形成するように構成された降圧チョッパ回路と、
所定端子への入力電圧に比例する閾値を生成し、前記オン期間において前記電流検出抵抗によって検出される電流検出値が前記閾値に達すると前記オン期間を終了させるように構成された駆動制御回路と、
前記オフ期間に前記チョークコイルの補助巻線に発生する電圧の整流平滑電圧に基づいて検出電圧を出力するＶｆ検出回路、及び該Ｖｆ検出回路の出力点が一端に接続されるとともに他端が前記所定端子に接続された接続素子を有し、前記検出電圧の所定範囲において前記検出電圧の増減に対して前記入力電圧を増減させるように構成された電流補正回路と
を備えたＬＥＤ点灯装置。
【請求項２】
ＬＥＤ点灯装置であって、
定電圧源と、
チョークコイル、スイッチング素子、回生ダイオード及び電流検出抵抗を含み、前記スイッチング素子のオン期間に前記定電圧源、ＬＥＤアレイ、前記チョークコイル、前記スイッチング素子及び前記電流検出抵抗が閉回路を形成し、前記スイッチング素子のオフ期間に前記チョークコイル、前記回生ダイオード及び前記ＬＥＤアレイが閉回路を形成するように構成された降圧チョッパ回路と、
所定端子への入力電圧に比例する閾値を生成し、前記オン期間において前記電流検出抵抗によって検出される電流検出値が前記閾値に達すると前記オン期間を終了させるように構成された駆動制御回路と、
前記スイッチング素子のスイッチング周波数に対応する波形を取得する波形取得回路、該波形取得回路によって取得された波形の低周波域を通過させるローパスフィルタ、該ローパスフィルタの出力を積分して検出電圧を出力する積分回路、及び該積分回路の出力点が一端に接続されるとともに他端が前記所定端子に接続された接続素子を有し、前記検出電圧の所定範囲において前記検出電圧の増減に対して前記入力電圧を増減させるように構成された電流補正回路と
を備えたＬＥＤ点灯装置。
【請求項３】
前記接続素子がダイオードであり、該ダイオードのアノード及びカソードがそれぞれ前記一端及び前記他端に対応する、請求項１又は２に記載のＬＥＤ点灯装置。
【請求項４】
前記接続素子がダイオードであり、該ダイオードのカソード及びアノードがそれぞれ前記一端及び前記他端に対応する、請求項１又は２に記載のＬＥＤ点灯装置。
【請求項５】
前記接続素子が抵抗である、請求項１又は２に記載のＬＥＤ点灯装置。
【請求項６】
前記接続素子がダイオードと抵抗の並列回路であり、前記ダイオードのアノード及びカソードがそれぞれ前記一端及び前記他端に対応する、請求項１又は２に記載のＬＥＤ点灯装置。
【請求項７】
前記接続素子がダイオードと抵抗の並列回路であり、前記ダイオードのカソード及びアノードがそれぞれ前記一端及び前記他端に対応する、請求項１又は２に記載のＬＥＤ点灯装置。
【請求項８】
前記接続素子がツェナーダイオードである、請求項１又は２に記載のＬＥＤ点灯装置。
【請求項９】
請求項１から８のいずれか一項に記載のＬＥＤ点灯装置と、前記ＬＥＤアレイとを備えたＬＥＤ照明装置。
【発明の詳細な説明】
【技術分野】
【０００１】
本発明は、ＬＥＤ点灯装置及びそれを用いたＬＥＤ照明装置に関する。
【背景技術】
【０００２】
近年、ＬＥＤ点灯装置において、オペアンプなどを用いたＬＥＤ電流のフィードバックを行わない簡素なＰＷＭ制御構成の降圧チョッパ回路が提案されている。このような降圧チョッパ回路のＰＷＭ制御では、スイッチング素子のオン期間の電流が設定閾値に達するとオフ期間が開始され、所定のタイミングで次のオン期間が開始され、これが反復されるように構成される（例えば、特許文献１参照）。
【先行技術文献】
【特許文献】
【０００３】
【特許文献１】特開２０１６−４８６３１号公報
【発明の概要】
【発明が解決しようとする課題】
【０００４】
ところで、上記のようなＬＥＤ点灯装置においては、順方向電圧が異なる種々のＬＥＤアレイが接続される場合でも、同じ設定閾値に対して同じＬＥＤ電流が出力されることがＬＥＤ点灯装置の汎用性などの観点から望ましい。そして、上記構成では、設定閾値に応じてスイッチング素子のオン期間の終了タイミングが決定されるので、ＬＥＤアレイの順方向電圧が異なっていても同じＬＥＤ電流が得られるようにみえる。しかし、詳細を後述するように、ＬＥＤアレイの順方向電圧と降圧チョッパ回路のチョークコイル電圧との比に応じて、同じ設定閾値に対するオン期間の終了タイミングが変動し得るため、上記の設定閾値とＬＥＤ電流との一致性が得られなくなる場合がある。この場合、同じ設定閾値が適用されたとしても、異なる順方向電圧のＬＥＤアレイに対してＬＥＤ電流が変動することになる。これにより、順方向電圧の高低に起因して、ＬＥＤアレイの予定されていた明るさが得られないという問題、ＬＥＤアレイの予定されていた寿命がばらつくという問題などが生じ得る。このように、従来のＬＥＤ点灯装置は、ＬＥＤアレイの順方向電圧の変化に対してＬＥＤ電流が変動してしまい、多様なＬＥＤアレイに対応できないという問題がある。
【０００５】
そこで、本発明は、異なる順方向電圧のＬＥＤアレイが接続された場合でもＬＥＤ電流の変動を抑制することができる高い汎用性のＬＥＤ点灯装置及びそれを用いたＬＥＤ照明装置を提供することを課題とする。
【課題を解決するための手段】
【０００６】
本発明の第１の形態によるＬＥＤ点灯装置（１００）は、定電圧源（１２０）と、チョークコイル、スイッチング素子、回生ダイオード及び電流検出抵抗を有し、スイッチング素子のオン期間に定電圧源、ＬＥＤアレイ、チョークコイル、スイッチング素子及び電流検出抵抗が閉回路を形成し、スイッチング素子のオフ期間にチョークコイル、回生ダイオード及びＬＥＤアレイが閉回路を形成するように構成された降圧チョッパ回路（１３０）と、所定端子への入力電圧に比例する閾値を生成し、オン期間において電流検出抵抗によって検出される電流検出値が閾値に達するとオン期間を終了させるように構成された駆動制御回路（１４０）と、オフ期間にチョークコイルの補助巻線に発生する電圧の整流平滑電圧に基づいて検出電圧を出力するＶｆ検出回路、及びＶｆ検出回路の出力点が一端に接続されるとともに他端が上記所定端子に接続された接続素子を有し、検出電圧の所定範囲において検出電圧の増減に対して上記入力電圧を増減させるように構成された電流補正回路（１５０）を備える。
【０００７】
上記第１の形態のＬＥＤ点灯装置によると、電流補正回路のＶｆ検出回路によってＬＥＤアレイの順方向電圧に対応する検出電圧が出力され、接続素子によって検出電圧の増減に応じて増減する入力電圧及びそれに比例する閾値が得られる。これにより、順方向電圧の増加／減少（すなわち、チョークコイル電圧の減少／増加）に伴うオン期間電流のオーバーシュートの減少分／増加分が閾値の増加／減少によって補償され、オン期間電流のピーク値が順方向電圧の広範囲にわたって一定となるように調整可能となる。したがって、異なる順方向電圧のＬＥＤアレイが接続された場合でもＬＥＤ電流の変動を抑制することができる高い汎用性のＬＥＤ点灯装置が実現される。
【０００８】
本発明の第２の形態によるＬＥＤ点灯装置（１００）は、定電圧源（１２０）と、チョークコイル、スイッチング素子、回生ダイオード及び電流検出抵抗を含み、スイッチング素子のオン期間に定電圧源、ＬＥＤアレイ、チョークコイル、スイッチング素子及び電流検出抵抗が閉回路を形成し、スイッチング素子のオフ期間にチョークコイル、回生ダイオード及びＬＥＤアレイが閉回路を形成するように構成された降圧チョッパ回路（１３０）と、所定端子への入力電圧に比例する閾値を生成し、オン期間において電流検出抵抗によって検出される電流検出値が閾値に達するとオン期間を終了させるように構成された駆動制御回路（１４０）と、スイッチング素子のスイッチング周波数に対応する波形を取得する波形取得回路、波形取得回路によって取得された波形の低周波域を通過させるローパスフィルタ、ローパスフィルタの出力を積分して検出電圧を出力する積分回路、及び積分回路の出力点が一端に接続されるとともに他端が上記所定端子に接続された接続素子を有し、検出電圧の所定範囲において検出電圧の増減に対して入力電圧を増減させるように構成された電流補正回路（１５５）を備える。
【０００９】
上記第２の形態のＬＥＤ点灯装置によると、電流補正回路によって、スイッチング周波数に対応する波形が取得され、その波形の低周波成分が抽出され、そのフィルタ出力電圧が積分されて検出電圧が出力される。そして、接続素子によって検出電圧の増減に応じて増減する入力電圧及びそれに比例する閾値が得られる。これにより、ＬＥＤアレイの順方向電圧の増加／減少（すなわち、スイッチング周波数の上昇／低下）に伴うオン期間電流のオーバーシュートの減少分／増加分が閾値の増加／減少によって補償され、オン期間電流のピーク値が順方向電圧の広範囲にわたって一定となるように調整可能となる。したがって、異なる順方向電圧のＬＥＤアレイが接続された場合でもＬＥＤ電流の変動を抑制することができる高い汎用性のＬＥＤ点灯装置が実現される。
【００１０】
例えば、上記第１又は第２の形態において、接続素子はダイオードであり、ダイオードのアノード及びカソードはそれぞれ上記の一端及び他端に対応する。これにより、ＬＥＤアレイの広範な順方向電圧において、特にダイオードがオンする相対的に高い順方向電圧の領域においてＬＥＤ電流の偏差が抑制される。
【００１１】
例えば、上記第１又は第２の形態において、接続素子はダイオードであり、ダイオードのカソード及びアノードはそれぞれ上記の一端及び他端に対応する。これにより、ＬＥＤアレイの広範な順方向電圧に対して、特にダイオードがオンする相対的に低い順方向電圧の領域においてＬＥＤ電流の偏差が抑制される。
【００１２】
例えば、上記第１又は第２の形態において、接続素子は抵抗であってもよい。これにより、ＬＥＤアレイの順方向電圧の全域においてＬＥＤ電流の偏差が抑制される。
【００１３】
例えば、上記第１又は第２の形態において、接続素子はダイオードと抵抗の並列回路であり、ダイオードのアノード及びカソードがそれぞれ上記の一端及び他端に対応するようにしてもよい。これにより、ＬＥＤアレイの順方向電圧の全域において偏差の小さいＬＥＤ電流が得られるとともに、順方向電圧の高域側（ダイオードがオン）において、低域側（ダイオードがオフ）よりも閾値の調整度を大きくすることができる。
【００１４】
例えば、上記第１又は第２の形態において、接続素子はダイオードと抵抗の並列回路であり、ダイオードのカソード及びアノードがそれぞれ上記の一端及び他端に対応するようにしてもよい。これにより、ＬＥＤアレイの順方向電圧の全域において偏差の小さいＬＥＤ電流が得られるとともに、順方向電圧の低域側（ダイオードがオン）において、高域側（ダイオードがオフ）よりも閾値の調整度を大きくすることができる。
【００１５】
例えば、上記第１又は第２の形態において、接続素子はツェナーダイオードであってもよい。ＬＥＤアレイの広範な順方向電圧において、特にツェナーダイオードが導通する順方向電圧の高域及び低域においてＬＥＤ電流の偏差が抑制される。
【００１６】
本発明のＬＥＤ照明装置は、上記いずれかＬＥＤ点灯装置と、ＬＥＤアレイとを備える。これにより、ＬＥＤアレイの広範囲な順方向電圧に対して予定されていた明るさ及び寿命が得られるので、多様なＬＥＤアレイを交換可能な互換性の高いＬＥＤ照明装置が実現される。
【図面の簡単な説明】
【００１７】
【図１】第１の実施形態によるＬＥＤ点灯装置及びＬＥＤ照明装置の回路図である。
【図２】第１の実施形態によるＬＥＤ点灯装置の動作を説明する図である。
【図３Ａ】各実施形態の第１の変形例のＬＥＤ点灯装置を説明する回路図である。
【図３Ｂ】各実施形態の第２の変形例のＬＥＤ点灯装置を説明する回路図である。
【図３Ｃ】各実施形態の第３の変形例のＬＥＤ点灯装置を説明する回路図である。
【図３Ｄ】各実施形態の第４の変形例のＬＥＤ点灯装置を説明する回路図である。
【図３Ｅ】各実施形態の第５の変形例のＬＥＤ点灯装置を説明する回路図である。
【図４Ａ】図３ＡのＬＥＤ点灯装置の動作を説明する図である。
【図４Ｂ】図３ＢのＬＥＤ点灯装置の動作を説明する図である。
【図４Ｃ】図３ＣのＬＥＤ点灯装置の動作を説明する図である。
【図４Ｄ】図３ＤのＬＥＤ点灯装置の動作を説明する図である。
【図４Ｅ】図３ＥのＬＥＤ点灯装置の動作を説明する図である。
【図５】第２の実施形態によるＬＥＤ点灯装置及びＬＥＤ照明装置の回路図である。
【図６】各実施形態の更なる変形例を説明する図である。
【図７】従来のＬＥＤ点灯装置の動作を説明する図である。
【発明を実施するための形態】
【００１８】
＜第１の実施形態＞
図１に、第１の実施形態によるＬＥＤ点灯装置１００及びそれを含むＬＥＤ照明装置３００の回路図を示す。ＬＥＤ照明装置３００は、ＬＥＤ点灯装置１００及びＬＥＤアレイ２００を含む。ＬＥＤ点灯装置１００は、商用電源等の交流電源ＡＣからの交流電圧を受けて直流電力をＬＥＤアレイ２００に供給する。ＬＥＤアレイ２００は、直列接続された複数のＬＥＤ素子を含む。以下の説明において、ＬＥＤアレイ２００の順方向降下電圧を順方向電圧Ｖｆといい、他のダイオードの電圧降下は無視できるものとして説明する。
【００１９】
ＬＥＤ点灯装置１００は、入力回路１１０、ＰＦＣ回路１２０、降圧チョッパ回路１３０、駆動制御回路１４０及び電流補正回路１５０を備える。入力回路１１０は、電流ヒューズ１及び２、ノイズフィルタ３並びに整流回路４を含む。整流回路４は、ダイオードブリッジ（不図示）を含み、交流電源ＡＣからの交流電圧を全波整流する。
【００２０】
ＰＦＣ回路（力率改善回路）１２０は、昇圧チョッパ回路からなり、入力回路１１０の全波整流出力を昇圧及び平滑する。言い換えると、ＰＦＣ回路１２０は、その出力端に平滑コンデンサ５を含み、定電圧源を構成する。以下において、平滑コンデンサ５の低電圧側端子と同電位のノードをグランドＧというものとする。また、平滑コンデンサ５の高電圧側端子の電圧を電圧ＶＰＦＣというものとする。
【００２１】
降圧チョッパ回路１３０は、チョークコイル６、スイッチング素子７（以下、「ＦＥＴ７」という）、回生ダイオード８、コンデンサ９及び電流検出抵抗１０（低抵抗素子）を含み、バック型の降圧コンバータを構成する。チョークコイル６は一次巻線６Ｐ及び補助巻線６Ｓを有する。なお、説明の便宜上、一次巻線６Ｐをチョークコイル６という場合もある。ＦＥＴ７のオン期間において、平滑コンデンサ５→ＬＥＤアレイ２００→チョークコイル６→ＦＥＴ７→電流検出抵抗１０→平滑コンデンサ５に閉回路が形成され、この閉回路にＬＥＤ電流が流れる。ＦＥＴ７のオフ期間において、チョークコイル６に蓄えられたエネルギーを電源として、チョークコイル６→回生ダイオード８→ＬＥＤアレイ２００→チョークコイル６に閉回路が形成され、この閉回路にＬＥＤ電流が流れる。コンデンサ９は、ＬＥＤ電流をフィルタリングする。ＦＥＴ７は、駆動制御回路１４０によってスイッチング（ＰＷＭ駆動）される。
【００２２】
駆動制御回路１４０は、ＤＣ／ＤＣコンバータ制御用ＩＣ１１（以下、「制御ＩＣ１１」という）及びその周辺回路（抵抗１２及び１３）を含む。なお、制御ＩＣ１１には、不図示の抵抗、コンデンサ、ダイオードなどの他の回路素子が周辺回路として適宜接続されるものとする。制御ＩＣ１１は、少なくとも端子Ｐ１（電源端子）、Ｐ２（グランド端子）、Ｐ３（ゲート出力端子）、Ｐ４（電流検出端子）及びＰ５（入力端子）を有する。端子Ｐ１には補助電源回路（不図示）から制御電源Ｖｃｃが供給される。制御電源Ｖｃｃは、不図示の補助電源生成回路において、チョークコイル６の不図示の補助巻線に発生する電圧が整流、平滑及び定電圧化されて生成される。端子Ｐ２はグランドＧに接続される。端子Ｐ３はＦＥＴ７のゲートに接続され、内部のゲートドライバからのゲート信号をＦＥＴ７に印加する。
【００２３】
端子Ｐ４はＦＥＴ７のソースと電流検出抵抗１０の接続点に接続され、端子Ｐ４には、電流検出抵抗１０の電圧、すなわちＦＥＴ７に流れる電流（以下、「ＦＥＴ電流」という）に比例する電圧が入力される。端子Ｐ５は抵抗１２、抵抗１３及びダイオード１８のカソードの接続点に接続され、抵抗１２及び抵抗１３の直列回路が基準電圧ＶｒｅｆとグランドＧの間に接続される。基準電圧Ｖｒｅｆは、例えば制御ＩＣ１１の内部で生成される基準電圧であればよい。
【００２４】
なお、以下の説明において、端子Ｐ４の電圧を電流検出値Ｖｐといい、端子Ｐ５の電圧を入力電圧Ｖｃという。入力電圧Ｖｃが制御ＩＣ１１内で線形的に変換されて、後述の閾値Ｖｔｈが生成される。したがって、閾値Ｖｔｈは、入力電圧Ｖｃに比例する。また、ダイオード１８がオフ状態にある場合の抵抗１２及び１３による基準電圧Ｖｒｅｆの分圧値を分圧値Ｖ０という。したがって、ダイオード１８がオフ状態の場合には、入力電圧Ｖｃ＝分圧値Ｖ０となる。
【００２５】
制御ＩＣ１１は、電流検出値Ｖｐと閾値Ｖｔｈの比較に基づいて、ＰＷＭ駆動におけるオン期間の終了タイミングを決定する。ＦＥＴ７のオン期間において電流検出値Ｖｐは上昇していく、そして、電流検出値Ｖｐが閾値Ｖｔｈに到達すると、制御ＩＣ１１はＦＥＴ７をオフする。ＰＷＭ駆動におけるオフ期間の終了タイミングは、オン期間の終了時からの固定時間（数μｓ程度）に基づいて決定されてもよいし、チョークコイル６に設けられた不図示の補助巻線の電圧に基づいて決定されてもよい。後者の場合、不図示の補助巻線は、上記の制御電源Ｖｃｃを取得するための補助巻線と同じ補助巻線であればよい。これにより、オフ期間にチョークコイル６に流れる電流がゼロとなった時点で次のオン期間を開始させるいわゆる臨界モードでのスイッチングが可能となる。
【００２６】
ここで、仮に電流補正回路１５０がなかったとした場合の動作を説明する。図７は、このような従来的な構成における電流検出値Ｖｐ（ＦＥＴ電流）を示す。この場合、入力電圧Ｖｃは分圧値Ｖ０に固定され、閾値Ｖｔｈもこれに応じた値Ｖｔｈ０に固定される。図７の上段のグラフはＬＥＤアレイ２００の順方向電圧Ｖｆが相対的に低い場合（例えば、Ｖｆ＝１００Ｖ）を示し、下段のグラフは順方向電圧Ｖｆが相対的に高い場合（例えば、Ｖｆ＝２００Ｖ）を示し、横軸は時間を示す。なお、電圧ＶＰＦＣは４５０Ｖであるものとし、一次巻線６Ｐの電圧をコイル電圧ＶＬというものとする。
【００２７】
図７の上段のグラフに示すように、順方向電圧Ｖｆが相対的に低い場合には、コイル電圧ＶＬは相対的に高くなる（ＶＬ＝ＶＰＦＣ−Ｖｆ＝４５０Ｖ−１００Ｖ＝３５０Ｖ）。上述したように、ＦＥＴ７がオンされると電流検出値Ｖｐ（ＦＥＴ電流）が上昇する。この上昇は、相対的に高いコイル電圧ＶＬに起因して急峻な傾斜となる。電流検出値Ｖｐが閾値Ｖｔｈに達しても、制御ＩＣ１１の処理速度などに起因して、電流検出値Ｖｐが閾値Ｖｔｈに達してから所定の遅延をもってＦＥＴ７がオフされるため、上記の急峻な傾斜によって電流検出値Ｖｐがオーバーシュートする。一方、下段のグラフに示すように、順方向電圧Ｖｆが相対的に高い場合には、コイル電圧ＶＬは相対的に低くなる（ＶＬ＝ＶＰＦＣ−Ｖｆ＝４５０Ｖ−２００Ｖ＝２５０Ｖ）。この場合、電流検出値Ｖｐ（ＦＥＴ電流）の上昇は、相対的に低いコイル電圧ＶＬに起因して緩やかな傾斜となる。このため、電流検出値Ｖｐが閾値Ｖｔｈに達すると、上記と同様の遅延が発生しても電流検出値ＶｐはほとんどオーバーシュートすることなくＦＥＴ７がオフされる。
【００２８】
したがって、順方向電圧Ｖｆが相対的に低い場合には、ＦＥＴ電流のピーク値が相対的に高くなり、ＬＥＤ電流も（平均値としてみても）高くなる。一方、順方向電圧Ｖｆが相対的に高い場合には、ＦＥＴ電流のピーク値が相対的に低くなり、ＬＥＤ電流も（平均値としてみても）低くなる。このように、上述した従来的な構成では、同じ入力電圧Ｖｃ及びそれに比例する閾値Ｖｔｈが適用されたとしても、異なる順方向電圧Ｖｆに対してＬＥＤ電流が変動してしまうことになる。したがって、順方向電圧Ｖｆが相対的に低い場合には必要以上のＬＥＤ電流によってＬＥＤアレイ２００が短寿命化し、一方、順方向電圧Ｖｆが相対的に高い場合にはＬＥＤ電流が不足して意図した明るさが得られない可能性がある。このように、入力電圧Ｖｃに対するＬＥＤ電流の変動によって、順方向電圧Ｖｆが異なる多様なＬＥＤアレイ２００に対して、予定されていた明るさ又は寿命が得られなくなるという問題がもたらされる。
【００２９】
そこで、本実施形態では、上記問題を解決するために電流補正回路１５０が設けられる。電流補正回路１５０は、Ｖｆ検出回路Ｄ及び接続素子Ｃを含む。Ｖｆ検出回路Ｄは、チョークコイル６の補助巻線６Ｓ、ダイオード１４、コンデンサ１５並びに抵抗１６及び１７（以下、「分圧回路１６−１７」ともいう）を含む。本実施形態では、接続素子Ｃはダイオード１８である。補助巻線６Ｓの一端はダイオード１４のアノードに接続され、他端はグランドＧに接続される。ここで、チョークコイル６の電流が減少する期間、すなわちＦＥＴ７のオフ期間に補助巻線６Ｓに発生する電圧がダイオード１４のカソードに発生するように、一次巻線６Ｐに対する補助巻線６Ｓの巻方向及びダイオード１４による整流方向が設定される。ダイオード１４のカソードはコンデンサ１５に接続され、分圧回路１６−１７はコンデンサ１５に並列接続される。ダイオード１８のアノードが分圧回路１６−１７の分圧点に接続され、カソードが制御ＩＣ１１の端子Ｐ５に接続される。
【００３０】
すなわち、ＦＥＴ７のオフ期間においてはコイル電圧ＶＬと順方向電圧Ｖｆとは実質的に等しくなり、このコイル電圧ＶＬが補助巻線６Ｓ／一次巻線６Ｐの巻数比に応じて降圧され、これがダイオード１４及びコンデンサ１５によって整流及び平滑される。したがって、コンデンサ１５には、順方向電圧Ｖｆに比例した電圧が充電される。そして、分圧回路１６−１７によるコンデンサ１５の電圧の分圧値が検出電圧Ｖｄとしてダイオード１８に印加される。この検出電圧Ｖｄが分圧値Ｖ０以下である場合にはダイオード１８はオフ状態となり、検出電圧Ｖｄが分圧値Ｖ０を超えるとダイオード１８がオン状態となり、コンデンサ１５の電圧の増減に応じて入力電圧Ｖｃ及び閾値Ｖｔｈが増減する。なお、コンデンサ１５の電圧によっては、分圧回路１６−１７は省略され、コンデンサ１５が直接又は抵抗などを介してダイオード１８のアノードに接続されてもよい。
【００３１】
図２に、本実施形態の動作における順方向電圧Ｖｆに対する閾値Ｖｔｈの関係を示す。図２に示すように、順方向電圧Ｖｆが所定値Ｖｆａ以下である領域では、検出電圧Ｖｄは分圧値Ｖ０以下であり、ダイオード１８はオフ状態であるため、閾値Ｖｔｈは分圧値Ｖ０に対応する値Ｖｔｈ０で一定となる。一方、順方向電圧Ｖｆが所定値Ｖｆａを超える領域では、ダイオード１８がオン状態となるため、閾値Ｖｔｈは順方向電圧Ｖｆの増加／減少に従って増加／減少する。なお、本開示において、１つの文中に「Ａ／Ｂ・・・Ｃ／Ｄ」という表現が使用される場合、ＡとＣが対応し、ＢとＤが対応するものとする。言い換えると、Ｂ及びＤが省略されて読まれても、あるいはＡ及びＣが省略されて読まれても文意が成立する。
【００３２】
すなわち、順方向電圧Ｖｆが所定値Ｖｆａを超える領域において、順方向電圧Ｖｆの増加に対するＦＥＴ電流のオーバーシュートの減少分が閾値Ｖｔｈの上昇によって相殺され、ＦＥＴ電流のピーク値は略一定となる。ＬＥＤ電流値はＦＥＴ電流のピーク値に概ね比例するので、同領域ではＬＥＤ電流も略一定となる。なお、順方向電圧Ｖｆが所望の所定値Ｖｆａを超える領域でＦＥＴ電流のピーク値（又はＬＥＤ電流値、以下同じ）が略一定となるように、補助巻線６Ｓの巻数並びに抵抗１２、１３、１６及び１７の抵抗値が選定されるものとする。このように、本実施形態によると、広範な順方向電圧Ｖｆにおいて、特に相対的に高い順方向電圧Ｖｆの領域において偏差の小さいＬＥＤ電流が得られる。
【００３３】
なお、本実施形態においては、接続素子Ｃに関して種々の変形が可能である。以下、図３Ａ〜図３Ｅ及び図４Ａ〜図４Ｅを用いて第１〜第５の変形例をそれぞれ説明する。図３Ａ〜図３Ｅに関して、上記説明したものと同様の構成には同じ符号を付し、その詳細な説明を省略する。
【００３４】
図３Ａに、本実施形態の第１の変形例によるＬＥＤ点灯装置１００の駆動制御回路１４０及び電流補正回路１５０を示す。本変形例では、接続素子Ｃはダイオード１８´であり、そのアノードが端子Ｐ５に接続され、カソードが分圧回路１６−１７の分圧点に接続される。すなわち、抵抗１６及び１７側の検出電圧Ｖｄが抵抗１２及び１３側の分圧値Ｖ０以上である場合にはダイオード１８´はオフし、検出電圧Ｖｄが分圧値Ｖ０未満となるとダイオード１８´はオンし、コンデンサ１５の電圧の増減に応じて入力電圧Ｖｃ及び閾値Ｖｔｈも増減する。
【００３５】
図４Ａに、第１の変形例における順方向電圧Ｖｆに対する閾値Ｖｔｈの関係を示す。図４Ａに示すように、順方向電圧Ｖｆが所定値Ｖｆａ未満である領域ではダイオード１８´はオン状態となり、閾値Ｖｔｈは順方向電圧Ｖｆの増加／減少に従って増加／減少する。一方、順方向電圧Ｖｆが所定値Ｖｆａ以上となる領域では、ダイオード１８´がオフ状態となり、閾値Ｖｔｈは分圧値Ｖ０に対応する値Ｖｔｈ０で一定となる。
【００３６】
すなわち、順方向電圧Ｖｆが所定値Ｖｆａ未満となる領域において、順方向電圧Ｖｆの減少に対するＦＥＴ電流のオーバーシュートの増加分が閾値Ｖｔｈの低下によって相殺され、ＦＥＴ電流のピーク値は略一定となる。また、ＬＥＤ電流値はＦＥＴ電流のピーク値に概ね比例するので、同領域ではＬＥＤ電流も略一定となる。なお、順方向電圧Ｖｆが所望の所定値Ｖｆａ未満となる領域でＦＥＴ電流のピーク値が略一定となるように、補助巻線６Ｓの巻数並びに抵抗１２、１３、１６及び１７の抵抗値が選定されるものとする。このように、本変形例によって、広範な順方向電圧Ｖｆにおいて、特に相対的に低い順方向電圧Ｖｆの領域において偏差の小さいＬＥＤ電流が得られる。
【００３７】
図３Ｂに、本実施形態の第２の変形例によるＬＥＤ点灯装置１００の駆動制御回路１４０及び電流補正回路１５０を示す。本変形例では、接続素子Ｃは抵抗１９である。すなわち、コンデンサ１５の電圧の増減に応じて入力電圧Ｖｃ及び閾値Ｖｔｈも増減する。なお、定常動作のみを考慮した場合には、抵抗１２、１３及び１９を省略して、分圧回路１６−１７の分圧点を直接端子Ｐ５に接続しても同様の作用が実現され得るが、降圧チョッパ回路１３０の起動時などの過渡的な状態での確実な動作を得るために、抵抗１２、１３及び１９を設けることが望ましい。
【００３８】
図４Ｂに、本変形例における順方向電圧Ｖｆに対する閾値Ｖｔｈの関係を示す。図４Ｂに示すように、順方向電圧Ｖｆの増加／減少に応じて閾値Ｖｔｈも増加／減少する。すなわち、順方向電圧Ｖｆの全域において、順方向電圧Ｖｆの増加／減少に対するＦＥＴ電流のオーバーシュートの減少分／増加分が閾値Ｖｔｈの増加／減少によって相殺され、ＦＥＴ電流のピーク値は略一定となる。ＬＥＤ電流値はＦＥＴ電流のピーク値に概ね比例するので、同領域ではＬＥＤ電流も略一定となる。なお、順方向電圧Ｖｆの変化に対してＦＥＴ電流のピーク値が略一定となるように、補助巻線６Ｓの巻数並びに抵抗１２、１３、１６、１７及び１９の抵抗値が選定されるものとする。このように、本変形例によると、順方向電圧Ｖｆの全域において偏差の小さいＬＥＤ電流が得られる。
【００３９】
図３Ｃに、本実施形態の第３の変形例によるＬＥＤ点灯装置１００の駆動制御回路１４０及び電流補正回路１５０を示す。本変形例では、接続素子Ｃは、ダイオード１８及び抵抗１９の並列回路である。ダイオード１８のアノードが分圧回路１６−１７の分圧点に接続され、カソードが端子Ｐ５に接続される。これにより、検出電圧Ｖｄが分圧値Ｖ０以下である場合にはダイオード１８はオフし、抵抗１９のみに電流が流れる。一方、検出電圧Ｖｄが分圧値Ｖ０を超えるとダイオード１８がオンし、抵抗１９よりもインピーダンスの低いダイオード１８のみに電流が流れる。したがって、いずれの場合においてもコンデンサ１５の電圧の増減に応じて入力電圧Ｖｃ及び閾値Ｖｔｈも増減する。
【００４０】
図４Ｃに、本変形例における順方向電圧Ｖｆに対する閾値Ｖｔｈの関係を示す。図４Ｃに示すように、順方向電圧Ｖｆが所定値Ｖｆａ以下となる領域では、抵抗１９のみに電流が流れ、閾値Ｖｔｈは順方向電圧Ｖｆの増加／減少に従って第１の傾斜で増加／減少する。一方、順方向電圧Ｖｆが所定値Ｖｆａを超える領域では、ダイオード１８のみに電流が流れ、閾値Ｖｔｈは順方向電圧Ｖｆの増加／減少に従って第２の傾斜で増加／減少する。なお、ダイオード１８のオン状態でのインピーダンスは抵抗１９のインピーダンスよりも低いため、第２の傾斜は第１の傾斜よりも大きい。
【００４１】
すなわち、順方向電圧Ｖｆのそれぞれの領域において、順方向電圧Ｖｆの増加／減少に対するＦＥＴ電流のオーバーシュートの減少分／増加分が閾値Ｖｔｈの増加／減少によってそれぞれの割合で相殺され、ＦＥＴ電流のピーク値は略一定となる。ＬＥＤ電流値はＦＥＴ電流のピーク値に概ね比例するので、同領域ではＬＥＤ電流も略一定となる。なお、補助巻線６Ｓの巻数並びに抵抗１２、１３、１６、１７及び１９の抵抗値は、上記領域及び割合が所望の態様となるように選定されるものとする。このように、本変形例によって、順方向電圧Ｖｆの全域において偏差の小さいＬＥＤ電流が得られるとともに、順方向電圧Ｖｆの高域（ダイオード１８がオン）において、低域（ダイオード１８がオフ）よりも閾値の調整度を大きくすることができる。
【００４２】
図３Ｄに、本実施形態の第４の変形例による駆動制御回路１４０及び電流補正回路１５０を示す。本変形例では、接続素子Ｃは、ダイオード１８´及び抵抗１９の並列回路である。ダイオード１８´のアノードが端子Ｐ５に接続され、カソードが分圧回路１６−１７の分圧点に接続される。これにより、検出電圧Ｖｄが分圧値Ｖ０以上である場合にはダイオード１８´はオフし、抵抗１９のみに電流が流れる。一方、検出電圧Ｖｄが分圧値Ｖ０未満となるとダイオード１８´がオンし、抵抗１９よりもインピーダンスの低いダイオード１８´のみに電流が流れる。したがって、いずれの場合においてもコンデンサ１５の電圧の増減に応じて入力電圧Ｖｃ及び閾値Ｖｔｈが増減する。
【００４３】
図４Ｄに、本変形例における順方向電圧Ｖｆに対する閾値Ｖｔｈの関係を示す。図４Ｄに示すように、順方向電圧Ｖｆが所定値Ｖｆａ未満となる領域では、ダイオード１８´のみに電流が流れ、閾値Ｖｔｈは順方向電圧Ｖｆの増加／減少に従って第１の傾斜で増加／減少する。一方、順方向電圧Ｖｆが所定値Ｖｆａ以上となる領域では、抵抗１９のみに電流が流れ、閾値Ｖｔｈは順方向電圧Ｖｆの増加／減少に従って第２の傾斜で増加／減少する。なお、ダイオード１８のオン状態でのインピーダンスは抵抗１９のインピーダンスよりも低いため、第１の傾斜は第２の傾斜よりも大きい。
【００４４】
すなわち、順方向電圧Ｖｆのそれぞれの領域において、順方向電圧Ｖｆの増加／減少に対するＦＥＴ電流のオーバーシュートの減少分／増加分が閾値Ｖｔｈの増加／減少によってそれぞれの割合で相殺され、ＦＥＴ電流のピーク値は略一定となる。ＬＥＤ電流値はＦＥＴ電流のピーク値に概ね比例するので、同領域ではＬＥＤ電流も略一定となる。なお、補助巻線６Ｓの巻数並びに抵抗１２、１３、１６、１７及び１９の抵抗値は、上記の領域及び割合が所望の態様となるように選定されるものとする。このように、本変形例によって、順方向電圧Ｖｆの全域において偏差の小さいＬＥＤ電流が得られるとともに、順方向電圧Ｖｆの低域（ダイオード１８´がオン）において、高域（ダイオード１８´がオフ）よりも閾値の調整度を大きくすることができる。
【００４５】
図３Ｅに、本実施形態の第５の変形例による駆動制御回路１４０及び電流補正回路１５０を示す。図３Ｅに示すように、接続素子Ｃは、ツェナー電圧Ｖｚのツェナーダイオード２０からなる。ツェナーダイオード２０のカソードが分圧回路１６−１７の分圧点に接続され、アノードが端子Ｐ５に接続される。検出電圧Ｖｄが分圧値Ｖ０未満である場合にはツェナーダイオード２０はオンし、コンデンサ１５の電圧の増減に応じて入力電圧Ｖｃ及び閾値Ｖｔｈも増減する。検出電圧Ｖｄが分圧値Ｖ０以上でかつ分圧値Ｖ０＋ツェナー電圧Ｖｚ未満である場合にはツェナーダイオード２０はオフし、入力電圧Ｖｃは分圧値Ｖ０に等しくなる。検出電圧Ｖｄが分圧値Ｖ０＋ツェナー電圧Ｖｚ以上である場合にはツェナーダイオード２０はオンし、コンデンサ１５の電圧の増減に応じて入力電圧Ｖｃ及び閾値Ｖｔｈも増減する。
【００４６】
図４Ｅに、これらの場合の順方向電圧Ｖｆに対する閾値Ｖｔｈの関係を示す。順方向電圧Ｖｆが所定値Ｖｆｂ未満である領域ではツェナーダイオード２０はオン状態となり、閾値Ｖｔｈは順方向電圧Ｖｆの増加／減少に従って増加／減少する。順方向電圧Ｖｆが所定値Ｖｆｂ以上で所定値Ｖｆｃ未満となる領域では、ツェナーダイオード２０はオフ状態となり、閾値Ｖｔｈは分圧値Ｖ０に対応する値Ｖｔｈ０で一定となる。そして、順方向電圧Ｖｆが所定値Ｖｆｃ以上となる領域ではツェナーダイオード２０はオン状態となり、閾値Ｖｔｈは順方向電圧Ｖｆの増加／減少に従って増加／減少する。
【００４７】
すなわち、順方向電圧Ｖｆの低域及び高域において、順方向電圧Ｖｆの増加／減少に対するＦＥＴ電流のオーバーシュートの減少分／増加分が閾値Ｖｔｈの増加／減少によって相殺され、ＦＥＴ電流のピーク値は略一定となる。ＬＥＤ電流値はＦＥＴ電流のピーク値に概ね比例するので、同領域ではＬＥＤ電流も略一定となる。なお、補助巻線６Ｓの巻数、抵抗１２、１３、１６及び１７の抵抗値、並びにツェナー電圧Ｖｚは、上記動作の態様が得られるように選定されるものとする。なお、ツェナーダイオード２０を逆向きに接続することも可能であるが、端子Ｐ５の入力電圧範囲が低い場合を考慮して、図３Ｅに示した向きとすることが好ましい。このように、本変形例によって、広範な順方向電圧Ｖｆにおいて、特に順方向電圧Ｖｆの低域及び高域において偏差の小さいＬＥＤ電流が得られる。
【００４８】
以上のように、本実施形態のＬＥＤ点灯装置１は、ＰＦＣ回路１２０、降圧チョッパ回路１３０、駆動制御回路１４０及び電流補正回路１５０を含む。降圧チョッパ回路１３０は、チョークコイル６、ＦＥＴ７、ダイオード８及び電流検出抵抗１０を有し、ＦＥＴ７のオン期間にＰＦＣ１２０の平滑コンデンサ５、ＬＥＤアレイ２００、チョークコイル６、ＦＥＴ７及び電流検出抵抗１０が閉回路を形成し、ＦＥＴ７のオフ期間にチョークコイル６、ダイオード８及びＬＥＤアレイ２００が閉回路を形成するように構成される。駆動制御回路１４０は、端子Ｐ５への入力電圧Ｖｃに比例する閾値Ｖｔｈを生成し、オン期間において電流検出抵抗１０によって検出される電流検出値Ｖｐが閾値Ｖｔｈに達するとオン期間を終了させるように構成される。電流補正回路１５０は、オフ期間にチョークコイル６の補助巻線６Ｓに発生する電圧の整流平滑電圧に基づいて検出電圧Ｖｄを出力するＶｆ検出回路Ｄ、及びＶｆ検出回路Ｄの出力点が一端に接続されるとともに他端が端子Ｐ５に接続された接続素子Ｃを有し、検出電圧Ｖｄの所定範囲（一部範囲又は全範囲）において検出電圧Ｖｄの増減に対して入力電圧Ｖｃを増減させるように構成される。
【００４９】
このように、電流調整回路１５０のＶｆ検出回路ＤによってＬＥＤアレイ２００の順方向電圧Ｖｆに対応する検出電圧Ｖｄが出力され、接続素子Ｃによって検出電圧Ｖｄの増減に応じて増減する入力電圧Ｖｃ及びそれに比例する閾値Ｖｔｈが得られる。これにより、順方向電圧Ｖｆの増加／減少（すなわち、コイル電圧ＶＬの減少／増加）に伴うＦＥＴ電流（オン期間電流）のオーバーシュートの減少分／増加分が閾値Ｖｔｈの増加／減少によって補償され、ＦＥＴ電流のピーク値が順方向電圧Ｖｆの広範囲にわたって一定となるように調整可能となる。したがって、異なる順方向電圧のＬＥＤアレイ２００が接続された場合でもＬＥＤ電流の変動を抑制することができる高い汎用性のＬＥＤ点灯装置１００が実現される。また、ＬＥＤ照明装置３００は、上記の効果を有するＬＥＤ点灯装置１００と、ＬＥＤアレイ２００とを備える。これにより、広範囲な順方向電圧Ｖｆに対して予定されていた明るさ及び寿命が得られるので、多様なＬＥＤアレイ２００を交換可能な互換性の高いＬＥＤ照明装置３００が実現される。
【００５０】
＜第２の実施形態＞
上記第１の実施形態では、ＬＥＤアレイ２００の順方向電圧Ｖｆの増減を反映する検出値をコイル電圧ＶＬから取得する構成を示したが、本実施形態では、ＬＥＤアレイ２００の順方向電圧Ｖｆの増減を反映する検出値をスイッチング周波数から取得する構成を示す。
【００５１】
図５に、本実施形態によるＬＥＤ点灯装置１００及びそれを含むＬＥＤ照明装置３００の回路図を示す。本実施形態において、第１の実施形態と実質的に同じ構成には同じ符号を付し、その重複する説明を省略する。本実施形態では、電流補正回路１５５が第１の実施形態の電流補正回路１５０と異なる。
【００５２】
電流補正回路１５５は、波形取得回路Ｗ、ローパスフィルタＬ、積分回路Ｉ及び接続素子Ｃを含む。波形取得回路Ｗは抵抗２１及び２２の直列回路（以下、「分圧回路２１−２２」ともいう）であり、ローパスフィルタＬはインダクタ２３及びコンデンサ２４のＬＣ直列回路であり、積分回路Ｉは抵抗２５及びコンデンサ２６のＲＣ直列回路である。本実施形態では、接続素子Ｃはダイオード１８である。分圧回路２１−２２はＦＥＴ７のドレインとグランドＧの間に接続され、その分圧点とグランドＧの間にローパスフィルタＬが接続され、そのフィルタ出力点に積分回路Ｉが接続される。この積分回路Ｉの積分出力点がダイオード１８のカソードに接続され、そのアノードが端子Ｐ５に接続される。
【００５３】
分圧回路２１−２２は、実質的にＦＥＴ７に印加される電圧（以下、「ＦＥＴ電圧」という）を分圧する。したがって、分圧回路２１−２２の分圧点には、ＦＥＴ７のＰＷＭ駆動におけるデューティ及び周波数の矩形波電圧が現れる。ローパスフィルタＬのカットオフ周波数は、制御ＩＣ１１が出力し得るスイッチング周波数（ゲート信号の周波数）よりも低いものとする。したがって、ローパスフィルタＬのフィルタ出力電圧はスイッチング周波数の上昇／低下に対して減衰／通過する。積分回路Ｉによるフィルタ出力電圧の積分出力電圧が検出電圧Ｖｄとなる。なお、波形取得回路Ｗは、スイッチング周波数成分を取得することができれば、分圧回路２１−２２に限らず、チョークコイル６の補助巻線電圧を整流する回路などであってもよい。
【００５４】
図７を参照すると、順方向電圧Ｖｆが相対的に低い場合（例えば、順方向電圧Ｖｆ＝１００Ｖの場合）のオン期間は、順方向電圧Ｖｆが相対的に高い場合（例えば、順方向電圧Ｖｆ＝２００Ｖの場合）のオン期間よりも短くなる。したがって、順方向電圧Ｖｆが相対的に低い場合のスイッチング周波数は、順方向電圧Ｖｆが相対的に高い場合のスイッチング周波数よりも高くなる。すなわち、順方向電圧Ｖｆの増加／減少に対してスイッチング周波数は低下／上昇する。この傾向は、制御ＩＣ１１における制御モードがオフ期間固定モードであっても、臨界モードであっても同様に得られる（ただし、制御モードは固定される必要がある）。
【００５５】
したがって、順方向電圧Ｖｆの増減に対する入力電圧Ｖｃ及び閾値Ｖｔｈの変化は、図２に示したものと同様となる。すなわち、順方向電圧Ｖｆが所定値Ｖｆａ未満となる領域において、順方向電圧Ｖｆの減少に対するＦＥＴ電流のオーバーシュートの増加分が閾値Ｖｔｈの低下によって相殺され、ＦＥＴ電流のピーク値は略一定となる。ＬＥＤ電流値はＦＥＴ電流のピーク値に概ね比例するので、同領域ではＬＥＤ電流も略一定となる。なお、順方向電圧Ｖｆが所望の所定値Ｖｆａ未満となる領域でＦＥＴ電流のピーク値が略一定となるように、抵抗２１及び２２の抵抗値、インダクタ２３のインダクタンス、並びにコンデンサ２４の容量が選定されるものとする。このように、本実施形態によっても、広範な順方向電圧Ｖｆに対して、特に相対的に低い順方向電圧Ｖｆの領域において偏差の小さいＬＥＤ電流が得られる。
【００５６】
なお、本実施形態では、接続素子Ｃとしてダイオード１８を示すが、上記第１の実施形態における第１〜第５の変形例は本実施形態にも同様に適用可能である。すなわち、本実施形態においても、接続素子Ｃは、（アノードが端子Ｐ５に接続された）ダイオード１８´、抵抗１９、ダイオード１８と抵抗１９の並列回路、ダイオード１８´と抵抗１９の並列回路、又はツェナーダイオード２０であってもよく、それぞれ上記第１〜第５の変形例について説明したものと同様の効果が得られる。
【００５７】
以上のように、本実施形態のＬＥＤ点灯装置１は、ＰＦＣ回路１２０、降圧チョッパ回路１３０、駆動制御回路１４０及び電流補正回路１５５を備える。降圧チョッパ回路１３０は、チョークコイル６、ＦＥＴ７、ダイオード８及び電流検出抵抗１０を含み、ＦＥＴ７のオン期間にＰＦＣ回路１２０の平滑コンデンサ５、ＬＥＤアレイ２００、チョークコイル６、ＦＥＴ７及び電流検出抵抗１０が閉回路を形成し、ＦＥＴ７のオフ期間にチョークコイル６、ダイオード８及びＬＥＤアレイ２００が閉回路を形成するように構成される。駆動制御回路１４０は、端子Ｐ５への入力電圧Ｖｃに比例する閾値Ｖｔｈを生成し、オン期間において電流検出抵抗１０によって検出される電流検出値Ｖｐが閾値Ｖｔｈに達するとオン期間を終了させるように構成される。電流補正回路１５５は、ＦＥＴ７のスイッチング周波数に対応する波形を取得する波形取得回路Ｗ、波形取得回路Ｗによって取得された波形の低周波域を通過させるローパスフィルタＬ、ローパスフィルタＬのフィルタ出力電圧を積分して検出電圧Ｖｄを出力する積分回路Ｉ、及び積分回路Ｉの出力点が一端に接続されるとともに他端が端子Ｐ５に接続された接続素子Ｃを有し、検出電圧Ｖｄの所定範囲（一部範囲又は全範囲）において検出電圧Ｖｄの増減に対して入力電圧Ｖｃを増減させるように構成される。
【００５８】
このように、電流補正回路１５５によって、スイッチング周波数に対応する波形が取得され、その波形の低周波成分が抽出され、そのフィルタ出力電圧が積分されて検出電圧Ｖｄが出力される。そして、接続素子Ｃによって検出電圧Ｖｄの増減に応じて増減する入力電圧Ｖｃ及びそれに比例する閾値Ｖｔｈが得られる。これにより、順方向電圧Ｖｆの増加／減少（すなわち、スイッチング周波数の上昇／低下）に伴うＦＥＴ電流（オン期間電流）のオーバーシュートの減少分／増加分が閾値Ｖｔｈの増加／減少によって補償され、ＦＥＴ電流のピーク値が順方向電圧Ｖｆの広範囲にわたって一定となるように調整可能となる。したがって、異なる順方向電圧のＬＥＤアレイ２００が接続された場合でもＬＥＤ電流の変動を抑制することができる高い汎用性のＬＥＤ点灯装置１００が実現される。また、ＬＥＤ照明装置３００についても、第１の実施形態と同様に、多様なＬＥＤアレイ２００が交換可能となり、高い互換性が得られる。
【００５９】
＜変形例＞
以上に本発明の好適な実施形態を示したが、本発明は、例えば以下に示すように種々の態様に変形可能である。
【００６０】
（１）接続素子Ｃに関する変形
上記各実施形態及び各変形例において、接続素子Ｃの具体的構成を例示したが、接続素子Ｃの構成には更なる変形例が存在し得る。すなわち、検出電圧Ｖｄの所定範囲（一部範囲又は全範囲）において検出電圧Ｖｄの増減に対して入力電圧Ｖｃを増減させるように構成されている限り、他の接続素子Ｃが適用されてもよい。
【００６１】
例えば、図６の左図に示すように電流補正回路１５０（第１の実施形態参照）において抵抗２７、２８及び２９からなる分圧回路がコンデンサ１５に並列接続され、接続素子Ｃがダイオード１８及び１８´で構成されてもよい。ダイオード１８のアノードが抵抗２８及び２９の接続点に接続され、カソードが端子Ｐ５に接続される。また、ダイオード１８´のカソードが抵抗２７及び２８の接続点に接続され、アノードが端子Ｐ５に接続される。あるいは、図６の右図に示すように電流補正回路１５５（第２の実施形態参照）において抵抗３０及び３１からなる分圧回路がコンデンサ２６に並列接続され、接続素子Ｃがダイオード１８及び１８´で構成されてもよい。この場合、ダイオード１８のアノードが抵抗３０及び３１の接続点に接続され、カソードが端子Ｐ５に接続される。また、ダイオード１８´のカソードが抵抗３０とコンデンサ２６の接続点に接続され、アノードが端子Ｐ５に接続される。この場合の順方向電圧Ｖｆに対する閾値Ｖｔｈの関係は図４Ｅに示すものと同様となる（第５の変形例参照）。なお、各抵抗値などは、図４Ｅに示す動作が所望の態様で得られるように適宜選定される。
【００６２】
（２）ＰＦＣ回路１２０に関する変形
上記各実施形態では、定電圧源として昇圧チョッパ回路であるＰＦＣ回路１２０を示したが、定電圧源はこれに限られない。例えば、いわゆるコンデンサインプット型回路の平滑コンデンサ（整流回路４の出力端子間に接続された平滑コンデンサ）が定電圧源である場合などにも、上記各実施形態は適用可能である。
【符号の説明】
【００６３】
６  チョークコイル
６Ｓ  補助巻線
７  スイッチング素子
８  回生ダイオード
１０  電流検出抵抗
１８、１８´  ダイオード
１９  抵抗
２０  ツェナーダイオード
１００  ＬＥＤ点灯装置
１２０  ＰＦＣ回路（定電圧源）
１３０  降圧チョッパ回路
１４０  駆動制御回路
１５０、１５５  電流補正回路
２００  ＬＥＤアレイ
３００  ＬＥＤ照明装置
Ｃ  接続素子
Ｄ  Ｖｆ検出回路
Ｉ  積分回路
Ｌ  ローパスフィルタ
Ｗ  波形取得回路
【図１】
2018137129.tif 000003
【図２】
2018137129.tif 000004
【図３Ａ】
2018137129.tif 000005
【図３Ｂ】
2018137129.tif 000006
【図３Ｃ】
2018137129.tif 000007
【図３Ｄ】
2018137129.tif 000008
【図３Ｅ】
2018137129.tif 000009
【図４Ａ】
2018137129.tif 000010
【図４Ｂ】
2018137129.tif 000011
【図４Ｃ】
2018137129.tif 000012
【図４Ｄ】
2018137129.tif 000013
【図４Ｅ】
2018137129.tif 000014
【図５】
2018137129.tif 000015
【図６】
2018137129.tif 000016
【図７】
2018137129.tif 000017